【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
システム（１００）であって、
時間間隔（ＴNext）によって分けられた血糖測定値（ＢＧ）を測定するグルコメーター（１２４）と、
前記グルコメーター（１２４）と通信し、データ処理デバイス（１１２）と、当該データ処理デバイス（１１２）と通信する非一時的メモリ（２４、１１４、１４４）と、を含む投薬コントローラ（１６０）と、
を含み、
前記投薬コントローラ（１６０）は、
各血糖測定値（ＢＧ）が、時間間隔（ＴNext）によって分けられており、かつ、前記血糖測定値（ＢＧ）を測定する時間に関連付けられた血糖時間（ＢＧTime）を含む、という患者（１０）の血糖測定値（ＢＧ）を前記グルコメーター（１２４）から受信し、
患者情報（２０８ａ）を受信し、
前記血糖時間（ＢＧTime）に基づいて推奨インスリン投薬量を決定する経管栄養患者のための皮下インスリン治療プログラム（１０００）を、前記血糖測定値（ＢＧ）及び前記患者情報（２０８ａ）に基づいて、皮下インスリン治療（９００、１０００、１１００、１２００、１３００、１４００）の集合から選択し、かつ
経管栄養患者のための前記選択された皮下インスリン治療プログラム（１０００）を実行する、
ことを特徴とするシステム（１００）。
【請求項２】
前記投薬コントローラ（１６０）は、ＣＢが、食事前修正ボーラスであり、ＢＧが、前記血糖測定値であり、ＢＧTargetが、前記患者（１０）のターゲット血糖である場合に、ＣＢ＝（ＢＧ−ＢＧTarget）／ＣＦ
を計算することによって、食事前修正ボーラス（ＣＢ）を決定する
ことを特徴とする請求項１に記載のシステム（１００）。
【請求項３】
前記投薬コントローラ（１６０）は、ＣＢPostが、食事後修正投薬量であり、ＴCurrentが、現在の時間であり、ＴPreviousが、最後のボーラスが前記患者（１０）に与えられた以前の時間であり、ｉＬｉｆｅＲａｐｉｄが、即効性インスリンに対する平均寿命である場合に、
2017505696.tif 000001
を計算することによって、食後修正ボーラス（ＣＢPost）を決定する
ことを特徴とする請求項１に記載のシステム（１００）。
【請求項４】
前記投薬コントローラ（１６０）は、
前記即効性インスリンの半減期値を受信し、かつ
Ｈａｌｆ−ｌｉｆｅが、即効性インスリンの半減期値である場合に、
ｉＬｉｆｅｒａｐｉｄ＝Ｈａｌｆ−ｌｉｆｅ*Ｉｎ（２）
を計算することによって、即効性インスリンの前記平均寿命（ｉＬｉｆｅＲａｐｉｄ）を決定する
ことを特徴とする請求項３に記載のシステム（１００）。
【請求項５】
前記投薬コントローラ（１６０）は、
支配血糖値（ＢＧgov）を受信し、かつ
前記受信した支配血糖値（ＢＧgov）に基づいて調節係数（ＡＦ）を決定する、
ことを特徴とする請求項１に記載のシステム（１００）。
【請求項６】
前記投薬コントローラ（１６０）は、
前記支配血糖値（ＢＧgov）が事前設定された値範囲内である時を決定し、かつ
前記事前設定された値範囲に基づいて前記調節係数（ＡＦ）を事前設定された調節係数（ＡＦ）に設定する、
ことによって前記調節係数（ＡＦ）を決定する
ことを特徴とする請求項５に記載のシステム（１００）。
【請求項７】
前記投薬コントローラ（１６０）は、
前記支配血糖値（ＢＧgov）が複数の事前設定された値範囲のうちの１つ内であると決定し、かつ
前記調節係数（ＡＦ）を、前記支配血糖値（ＢＧｇｏｖ）を含む前記事前設定された値範囲に関連付けられた事前設定された調節係数（ＡＦ）に設定する、
ことによって前記調節係数（ＡＦ）を決定する
ことを特徴とする請求項５に記載のシステム（１００）。
【請求項８】
前記投薬コントローラ（１６０）は、
ＣＩＲが、炭水化物対インスリン比であり、ＣＩＲPreviousが、以前に決定された炭水化物対インスリン比であり、ＡＦが、前記調節係数である場合に、
ＣＩＲ＝（ＣＩＲPrevious）／ＡＦ
を計算することにより、前記調節係数（ＡＦ）に基づいて炭水化物対インスリン比（ＣＩＲ）を決定する
ことを特徴とする請求項１に記載のシステム（１００）。
【請求項９】
経管栄養患者のための前記皮下インスリン治療プログラム（１０００）中に、前記投薬コントローラ（１６０）は、
前記血糖測定値（ＢＧ）の測定の時間に関連付けられた血糖時間（ＢＧTime）を受信し、
前記血糖時間（ＢＧTime）が事前設定時間間隔（（Ｔschedｉ−ＭStart）から（Ｔschedｉ＋ＭEnd））内であるかを決定し、
前記事前設定時間間隔（（Ｔschedｉ−ＭStart）から（Ｔschedｉ＋ＭEnd））に基づいて次の血糖測定値（ＢＧnext）のためのタイマー（４３０）を設定し、かつ
ＣＢが、修正インスリン投薬量であり、ＢＧが、前記血糖測定値であり、ＢＧTargetが、前記患者（１０）のターゲット血糖値である場合に、
ＣＢx＝（ＢＧ−ＢＧTarget）／ＣＦ
を計算することにより、前記血糖時間（ＢＧTime）に基づいて修正インスリン（ＣＢ）投薬量を決定する
ことを特徴とする請求項１に記載のシステム（１００）。
【請求項１０】
前記事前設定時間間隔（（Ｔschedｉ−ＭStart）から（Ｔschedｉ＋ＭEnd））は、
００：００に始まって各々が次のものから４時間空けられた６つの事前設定時間間隔（（Ｔschedｉ−ＭStart）から（Ｔschedｉ＋ＭEnd））のうちの１つ、又は
００：００に始まって各々が次のものから６時間空けられた４つの事前設定時間間隔（（Ｔschedｉ−ＭStart）から（Ｔschedｉ＋ＭEnd））のうちの１つ、
のうちの一方を含む、
ことを特徴とする請求項９に記載のシステム（１００）。
【請求項１１】
前記投薬コントローラ（１６０）は、
前記血糖時間（ＢＧTime）が、各々が次のものから６時間空けられた４つの事前設定時間間隔のうちの第１のもの（（Ｔschedi１−ＭStart）から（Ｔsched１＋ＭEnd））内である時に、
前記血糖測定値（ＢＧ）を支配血糖値（ＢＧgov）として設定し、
前記支配血糖値（ＢＧgov）に基づいて推奨等価ボーラス（ＥｑＢｏｌｕｓ）の値を調節するための調節係数（ＡＦ）を決定し、
推奨等価ボーラス（ＥｑＢｏｌｕｓ）の前日の値を取り出し、かつ
前記調節係数（ＡＦ）を推奨等価ボーラス（ＥｑＢｏｌｕｓ）の前記前日の値に乗算することにより、スケジュールされた血糖測定（ＢＧ）時に前記患者（１０）に投与される即効性インスリン又は通常インスリンのインスリン投薬量に対応する推奨等価ボーラス（ＥｑＢｏｌｕｓ）の新しい値を決定する
ことを特徴とする請求項９に記載のシステム（１００）。
【請求項１２】
前記投薬コントローラ（１６０）は、
前記血糖時間（ＢＧTime）が、各々が次のものから４時間空けられた６つの事前設定時間間隔のうちの第２のもの（（Ｔsched２−ＭStart）から（Ｔsched２＋ＭEnd））内である時に、
前記血糖測定値（ＢＧ）を支配血糖値（ＢＧgov）として設定し、
前記支配血糖値（ＢＧgov）に基づいて推奨等価ボーラス（ＥｑＢｏｌｕｓ）の値を調節するための調節係数（ＡＦ）を決定し、
推奨等価ボーラス（ＥｑＢｏｌｕｓ）の前日の値を取り出し、かつ
前記調節係数（ＡＦ）を推奨等価ボーラス（ＥｑＢｏｌｕｓ）の前記前日の値に乗算することにより、スケジュールされた血糖測定（ＢＧ）時に前記患者（１０）に投与される即効性インスリン又は通常インスリンのインスリン投薬量に対応する推奨等価ボーラス（ＥｑＢｏｌｕｓ）の新しい値を決定する
ことを特徴とする請求項９に記載のシステム（１００）。
【請求項１３】
前記投薬コントローラ（１６０）は、
前記血糖時間（ＢＧTime）が、各々が次のものから４時間空けられた６つの事前設定時間間隔のうちの第２のもの（（Ｔsched２−ＭStart）から（Ｔsched２＋ＭEnd））内である時に、
前記血糖測定値（ＢＧ）を支配血糖値（ＢＧgov）として設定し、
前記支配血糖値（ＢＧgov）に基づいて当日の推奨基礎投薬量（ＲｅｃＢａｓａｌ）を調節するための調節係数（ＡＦ）を決定し、
前日の推奨基礎投薬量（ＲｅｃＢａｓａｌ）を取り出し、かつ
前記調節係数（ＡＦ）を前記前日の推奨基礎投薬量（ＲｅｃＢａｓａｌ）に乗算することにより、毎日１回、２回、又は３回の設定可能な頻度で前記患者（１０）に投与される長時間作用型インスリンのインスリン投薬量に対応する当日の推奨基礎投薬量（ＲｅｃＢａｓａｌ）を決定する、
ことを特徴とする請求項９に記載のシステム（１００）。
【請求項１４】
前記投薬コントローラ（１６０）は、
前記血糖時間（ＢＧTime）が、各々が次のものから４時間空けられた６つの事前設定時間間隔のうちの第２のもの（（Ｔsched２−ＭStart）から（Ｔsched２＋ＭEnd））内である時に、
前記血糖測定値（ＢＧ）を支配血糖値（ＢＧgov）として設定し、
前記支配血糖値（ＢＧgov）に基づいて当日の推奨基礎投薬量（ＲｅｃＢａｓａｌ）を調節するための調節係数（ＡＦ）を決定し、
前日の推奨基礎投薬量（ＲｅｃＢａｓａｌ）を取り出し、かつ
前記調節係数（ＡＦ）を前記前日の推奨基礎投薬量（ＲｅｃＢａｓａｌ）に乗算することにより、毎日１回、２回、又は３回の設定可能な頻度で前記患者（１０）に投与される長時間作用型インスリンのインスリン投薬量に対応する前記当日の推奨基礎投薬量（ＲｅｃＢａｓａｌ）を決定する、
ことを特徴とする請求項９に記載のシステム（１００）。
【請求項１５】
前記投薬コントローラ（１６０）は、当該投薬コントローラ（１６０）と通信する投与デバイス（１２３、１２３ａ、１２３ｂ）に経管栄養患者のための前記皮下インスリン治療プログラム（１０００）を送信し、
当該投与デバイス（１２３、１２３ａ、１２３ｂ）は、
投薬器（２２３ａ、２２３ｂ）と、
前記投薬器（２２３ａ、２２３ｂ）と通信し、経管栄養患者のための前記選択された皮下インスリン治療プログラム（１０００）を実行する時に経管栄養患者のための当該皮下インスリン治療プログラム（１０００）によって決定されるインスリンの前記推奨投薬量を前記投薬器（２２３ａ、２２３ｂ）に投与させる投与コンピュータデバイス（１１２ａ、１１２ｂ）と、
を含む
ことを特徴とする請求項１に記載のシステム（１００）。
【請求項１６】
グルコメーター（１２４）からデータ処理デバイス（１１２）で患者（１０）の血糖測定値（ＢＧ）を受信する段階であって、各血糖測定値（ＢＧ）は、時間間隔（ＴNext）によって分けられており、かつ、前記血糖測定値（ＢＧ）を測定する時間に関連付けられた血糖時間（ＢＧTime）を含む、という段階と、
前記データ処理デバイス（１１２）で患者情報（２０８ａ）を受信する段階と、
前記データ処理デバイス（１１２）を使用して、前記血糖測定値（ＢＧ）及び前記患者情報（２０８ａ）に基づいて皮下インスリン治療の集合（９００、１０００、１１００、１２００、１３００、１４００）から経管栄養患者のための皮下インスリン治療プログラム（１０００）を選択する段階であって、当該経管栄養患者のための皮下インスリン治療プログラム（１０００）は、前記血糖時間（ＢＧTime）に基づいて推奨インスリン投薬量を決定する、という段階と、
前記データ処理デバイス（１１２）を使用して、経管栄養患者のための前記選択された皮下インスリン治療プログラム（１０００）を実行する段階と、
を含むことを特徴とする方法（１６００）。
【請求項１７】
前記データ処理デバイス（１１２）で、設定可能な定数（ＣＦＲ）を受信する段階と、  前記設定可能な定数（ＣＦＲ）を前記データ処理デバイス（１１２）に関連付けられた非一時的メモリ（２４、１１４、１４４）に格納する段階と、
ＣＦ＝ＣＦＲ／ＴＤＤ
を計算することにより、前記データ処理デバイス（１１２）を使用して修正係数（ＣＦ）を決定する段階であって、ＣＦは、前記修正係数であり、ＣＦＲは、統計的な相関関係から決定される前記設定可能な定数であり、ＴＤＤは、毎日のインスリンの合計１日投薬量である、という段階と、
ＣＢ＝（ＢＧ−ＢＧTarget）／ＣＦ
を計算することにより、前記データ処理デバイス（１１２）を使用して食事前修正ボーラス（ＣＢ）を決定する段階であって、ＣＢは、食事前修正ボーラスであり、ＢＧは、前記血糖測定値であり、ＢＧTargetは、前記患者（１０）のターゲット血糖である、という段階と、
を更に含むことを特徴とする請求項１６に記載の方法（１６００）。
【請求項１８】
ＣＢPostが、食事後修正投薬量であり、ＴCurrentが、現在の時間であり、ＴPrevBolusが、最後のボーラスが前記患者（１０）に与えられた以前の時間であり、ｉＬｉｆｅＲａｐｉｄが、即効性インスリンに対する平均寿命である場合に、前記データ処理デバイス（１１２）を使用して、
2017505696.tif 000002
を計算することによって食後修正ボーラス（ＣＢPost）を決定する段階
を更に含むことを特徴とする請求項１６に記載の方法（１６００）。
【請求項１９】
前記データ処理デバイス（１１２）で、前記即効性インスリンの半減期値を受信する段階と、
ｉＬｉｆｅＲａｐｉｄが、前記即効性インスリンに対する前記平均寿命であり、Ｈａｌｆ−ｌｉｆｅが、即効性インスリンの半減期値である場合に、前記データ処理デバイス（１１２）を使用して、
ｉＬｉｆｅＲａｐｉｄ＝Ｈａｌｆ−ｌｉｆｅ*Ｉｎ（２）
を計算することによって前記即効性インスリンの前記平均寿命（ｉＬｉｆｅＲａｐｉｄ）を決定する段階と、
を更に含むことを特徴とする請求項１８に記載の方法（１６００）。
【請求項２０】
前記データ処理デバイス（１１２）で、支配血糖値（ＢＧgov）を受信する段階と、
前記データ処理デバイス（１１２）を使用して、前記受信した支配血糖値（ＢＧgov）に基づいて調節係数（ＡＦ）を決定する段階と、
を更に含むことを特徴とする請求項１６に記載の方法（１６００）。
【請求項２１】
前記調節係数（ＡＦ）を決定する段階は、
前記支配血糖値（ＢＧgov）が事前設定された値範囲内である時を決定する段階と、
前記調節係数（ＡＦ）を前記事前設定された値範囲に関連付けられた事前設定された調節係数（ＡＦ）に設定する段階と、
を含む、
ことを特徴とする請求項２０に記載の方法（１６００）。
【請求項２２】
前記調節係数（ＡＦ）を決定する段階は、
前記支配血糖値（ＢＧgov）が複数の事前設定された値範囲のうちの１つ内であると決定する段階と、
前記支配血糖値（ＢＧgov）を含む前記事前設定された値範囲に関連付けられた事前設定された調節係数（ＡＦ）に前記調節係数（ＡＦ）を設定する段階と、
を含む、
ことを特徴とする請求項２０に記載の方法（１６００）。
【請求項２３】
ＣＩＲが、炭水化物対インスリン比であり、ＣＩＲPreviouｓが、以前に決定された炭水化物対インスリン比（ＣＩＲ）であり、ＡＦが、前記調節係数である場合に、前記データ処理デバイス（１１２）を使用して、
ＣＩＲ＝（ＣＩＲPrevious）／ＡＦ
を計算することによって、前記調節係数（ＡＦ）に基づいて炭水化物対インスリン比（ＣＩＲ）を決定する段階
を更に含むことを特徴とする請求項１６に記載の方法（１６００）。
【請求項２４】
経管栄養患者のための前記皮下インスリン治療ブログラム（１０００）は、
前記データ処理デバイス（１１２）で、前記血糖測定値（ＢＧ）の測定の時間に関連付けられた血糖時間（ＢＧTime）を受信する段階と、
前記データ処理デバイス（１１２）を使用して、前記血糖時間（ＢＧTime）が事前設定時間間隔（（Ｔschedｉ−ＭStart）から（Ｔschedｉ＋ＭEnd））内であるかを決定する段階と、
前記事前設定時間間隔（（Ｔschedｉ−ＭStart）から（Ｔschedｉ＋ＭEnd））に基づいて次の血糖測定値（ＢＧnext）のためのタイマー（４３０）を設定する段階と、
ＣＢが、修正インスリン投薬量であり、ＢＧが、前記血糖測定値であり、ＢＧTargetが、患者（１０）のターゲット血糖値である場合に、前記データ処理デバイス（１１２）を使用して、
ＣＢx＝（ＢＧ−ＢＧTarget）／ＣＦ
を計算することにより、前記血糖時間（ＢＧTime）に基づいて修正インスリン投薬量（ＣＢ）を決定する段階と、
を含む、
ことを特徴とする請求項１６に記載の方法（１６００）。
【請求項２５】
前記事前設定時間間隔（（Ｔschedｉ−ＭStart）から（Ｔschedｉ＋ＭEnd））は、
００：００に始まって各々が次のものから４時間空けられた６つの事前設定時間間隔（（Ｔschedｉ−ＭStart）から（Ｔschedｉ＋ＭEnd））のうちの１つ、又は
００：００に始まって各々が次のものから６時間空けられた４つの事前設定時間間隔（（Ｔschedｉ−ＭStart）から（Ｔschedｉ＋ＭEnd））のうちの１つ、
のうちの一方を含む、
ことを特徴とする請求項２４に記載の方法（１６００）。
【請求項２６】
前記血糖時間（ＢＧTime）が、各々が次のものから６時間空けられた４つの事前設定時間間隔のうちの第１のもの（（Ｔsched１−ＭStart）から（Ｔsched１＋ＭEnd））内である時に、
前記データ処理デバイス（１１２）を使用して、前記血糖測定値（ＢＧ）を支配血糖値（ＢＧgov）として設定する段階と、
前記データ処理デバイス（１１２）を使用して、前記支配血糖値（ＢＧgov）に基づいて推奨等価ボーラス（ＥｑＢｏｌｕｓ）の値を調節するための調節係数（ＡＦ）を決定する段階と、
前記データ処理デバイス（１１２）を使用して、推奨等価ボーラス（ＥｑＢｏｌｕｓ）の前日の値を取り出す段階と、
前記データ処理デバイス（１１２）を使用して、前記調節係数（ＡＦ）を推奨等価ボーラス（ＥｑＢｏｌｕｓ）の前記前日の値に乗算することにより、スケジュールされた血糖測定（ＢＧ）時に前記患者（１０）に投与される即効性インスリン又は通常インスリンのインスリン投薬量に対応する推奨等価ボーラス（ＥｑＢｏｌｕｓ）の新しい値を決定する段階と、
を更に含むことを特徴とする請求項２４に記載の方法（１６００）。
【請求項２７】
前記血糖時間（ＢＧTime）が、各々が次のものから４時間空けられた６つの事前設定時間間隔のうちの第２のもの（（Ｔsched２−ＭStart）から（Ｔsched２＋ＭEnd））内である時に、
前記データ処理デバイス（１１２）を使用して、前記血糖測定値（ＢＧ）を支配血糖値（ＢＧgov）として設定する段階と、
前記データ処理デバイス（１１２）を使用して、前記支配血糖値（ＢＧgov）に基づいて推奨等価ボーラス（ＥｑＢｏｌｕｓ）の値を調節するための調節係数（ＡＦ）を決定する段階と、
前記データ処理デバイス（１１２）を使用して、推奨等価ボーラス（ＥｑＢｏｌｕｓ）の前日の値を取り出す段階と、
前記データ処理デバイス（１１２）を使用して、前記調節係数（ＡＦ）を推奨等価ボーラス（ＥｑＢｏｌｕｓ）の前記前日の値に乗算することにより、スケジュールされた血糖測定（ＢＧ）時に前記患者（１０）に投与される即効性インスリン又は通常インスリンのインスリン投薬量に対応する推奨等価ボーラス（ＥｑＢｏｌｕｓ）の新しい値を決定する段階と、
を更に含むことを特徴とする請求項２４に記載の方法（１６００）。
【請求項２８】
前記血糖時間（ＢＧTime）が、各々が次のものから６時間空けられた４つの事前設定時間間隔のうちの第２のもの（（Ｔsched２−ＭStart）から（Ｔsched２＋ＭEnd））内である時に、
前記データ処理デバイス（１１２）を使用して、前記血糖測定値（ＢＧ）を支配血糖値（ＢＧgov）として設定する段階と、
前記データ処理デバイス（１１２）を使用して、前記支配血糖値（ＢＧgov）に基づいて当日の推奨基礎投薬量（ＲｅｃＢａｓａｌ）を調節するための調節係数（ＡＦ）を決定する段階と、
前記データ処理デバイス（１１２）を使用して、前日の推奨基礎投薬量（ＲｅｃＢａｓａｌ）を取り出す段階と、
前記データ処理デバイス（１１２）を使用して、前記調節係数（ＡＦ）を前記前日の推奨基礎投薬量（ＲｅｃＢａｓａｌ）に乗算することにより、毎日１回、２回、又は３回の設定可能な頻度で前記患者（１０）に投与される長時間作用型インスリンのインスリン投薬量に対応する当日の推奨基礎投薬量（ＲｅｃＢａｓａｌ）を決定する段階と、
を更に含むことを特徴とする請求項２４に記載の方法（１６００）。
【請求項２９】
前記血糖時間（ＢＧTime）が、各々が次のものから４時間空けられた６つの事前設定時間間隔のうちの第３のもの（（Ｔsched３−ＭStart）から（Ｔsched３＋ＭEnd））内である時に、
前記データ処理デバイス（１１２）を使用して、前記血糖測定値（ＢＧ）を支配血糖値（ＢＧgov）として設定する段階と、
前記データ処理デバイス（１１２）を使用して、前記支配血糖値（ＢＧgov）に基づいて当日の推奨基礎投薬量（ＲｅｃＢａｓａｌ）を調節するための調節係数（ＡＦ）を決定する段階と、
前記データ処理デバイス（１１２）を使用して、前日の推奨基礎投薬量（ＲｅｃＢａｓａｌ）を取り出す段階と、
前記データ処理デバイス（１１２）を使用して、前記調節係数（ＡＦ）を前記前日の推奨基礎投薬量（ＲｅｃＢａｓａｌ）に乗算することにより、毎日１回、２回、又は３回の設定可能な頻度で前記患者（１０）に投与される長時間作用型インスリンのインスリン投薬量に対応する当日の推奨基礎投薬量（ＲｅｃＢａｓａｌ）を決定する段階と、
を更に含むことを特徴とする請求項２４に記載の方法（１６００）。
【請求項３０】
経管栄養患者のための前記皮下インスリン治療プログラム（１０００）を前記データ処理デバイス（１１２）と通信する投与デバイス（１２３、１２３ａ、１２３ｂ）に送信する段階を更に含み、
前記投与デバイス（１２３、１２３ａ、１２３ｂ）は、
投薬器（２２３ａ、２２３ｂ）と、
前記投薬器（２２３ａ、２２３ｂ）と通信し、経管栄養患者のための前記皮下インスリン治療プログラム（１０００）を実行する時に経管栄養患者のための当該皮下インスリン治療プログラム（１０００）によって決定されるインスリンの前記推奨投薬量を前記投薬器（２２３ａ、２２３ｂ）に投与させる投与コンピュータデバイス（１１２ａ、１１２ｂ）と、
を含む、
ことを特徴とする請求項１６に記載の方法（１６００）。